(57)【要約】      （修正有）【課題】２種類の単独機能マシーンの片方のブロワーホールからの高圧空気による各種チラシ同志のくっつきのさばき初期処理機能をもう1つの新聞チラシ折り機の部位にもたせ一体化複合機能マシーン1台で処理できる人手工数削減を計る。【解決手段】新聞チラシ折り機１の機構部にセットシャフト２に設けたブロワーホール４又はチラシサイズ位置決めエアーボックス５に設けたエアーボックスブロワーホール７とエアーブロワーＳＷ８により導入された高圧空気でチラシ投入プレート３にセットされた各種チラシ群６をブロワー処理する。【選択図】図１
0003132693.tif 000002
【実用新案登録請求の範囲】
【請求項１】
新聞チラシ折り機に、各種チラシ同志のくっつきのさばきを高圧空気によりブロワー処理する機能を、機構部セットシャフトに設けたブロワーホール（1個以上）又はチラシサイズ位置決めエアーボックスに設けたエアーボックスブロワホール（1個以上）とそのエアーブロワーＳＷにより持たせたニュースプロダクトメーカイニシャル。
【請求項２】
前述のブロワーホール又はエアーボックスブロワホール（夫々1個以上）の位置にネジ込む機構部セットシャフト、チラシサイズ位置決めエアーボックスへの高圧吹き出しじゃ口を有するニュースプロダクトメーカイニシャル。
【請求項３】
前述の位置に単独でワイヤー又は固定具で固定運用を計った高圧吹き出しじゃ口（1個以上則ち機構部セットシャフト又はチラシ投入プレートをスライドするチラシ位置決めエアーボックスを採用しないで）を設けエアーブロワーＳＷで運用するニュースプロダクトイニシャル。
【考案の詳細な説明】
【技術分野】
【０００１】
本考案は、従来のニュースプロダクトメーカの各種チラシを新聞チラシ折り機に投入するためのチラシ紙同志のくっつきのさばきを行うチラシブロワーマシンに関する。
【背景技術】
【０００２】
チラシブロワーマシンは、チラシ紙同志のくっつきのさばきをチラシマガジンにたてたチラシの底から高圧空気をブロワーする事により行う単独機能マシンである。
【考案の開示】
【考案が解決しようとする課題】
【０００３】
しかしながら、単独機能マシンであるため、ニュースプロダクトメーカ（新聞配達用完成品製作）の配達夫（2006年日本全国で40万人）の工数削減検討対象プロセスとマシンであった。
【０００４】
本考案は、上記実情に鑑みてなされたものであり、単独機能マシンであるチラシブロワーマシンと新聞チラシ折り機を機能結合（一体化）して省エネ（工数削減）を計ることを目的としている。
【課題を解決するための手段】
【０００５】
上記目的を達成するため考案は、ブロワーマシンの機能（前述）を新聞チラシ折り機のチラシ投入プレート上で果すことであり、次の構成を含むことを特徴としている。新聞チラシ折り機のチラシ投入プレートにセットしたチラシサイズ位置きめエアーボックスに導入された高圧空気をエアーブロワーＳＷによりエアーボックスブロワーホール又は機構部セットシャフトのエアーボックスブロワーホール、ブロワーホールからセットされた各種チラシ群のチラシ同志のくっつきのさばきをブロワーして行うものである。
【考案の効果】
【０００６】
２種の単独機能マシンを一体化することにより省エネ（工数削減）と設備費の削減ができる。
【考案を実施するための最良の形態】
【０００７】
本考案の実施の形態の一例について図面を参照して説明する。
ニュースプロダクトイニシャルは、図１に示すように、新聞チラシ折り機１と機構部セットシャフト２とそれに設けたブロワーホール（1個以上）４そのエアブロワーＳＷ８又は同じチラシ投入プレート３にセットした各種チラシ群６、にチラシサイズ位置決めエアーボックス５、（チラシ投入プレート３、上をスライドする。）のエアーボックスブロワーホール（1個以上）とそのエアーボロワーＳＷによりブロワー処理する。
従来のブロワーマシンとしてのみ運用するときは、チラシサイズ位置決めエアーボックスを図のように立て各種チラシ群６にエアーボックスブロワホールとエアーブロワーＳＷ８によりブロワー処理できる応用が効く。
【図面の簡単な説明】
【０００８】
【図１】本考案のニュースプロダクトメーカイニシャルを示す図である。
【符号の説明】
【０００９】
１        新聞チラシ折り機
２        機構部セットシャフト
３        チラシ投入プレート
４        ブロワーホール
５        チラシサイズ位置決めエアーボックス
６        各種チラシ群
７        エアーボックスブロワホール
８        エアーブロワーＳＷ
９        高圧空気吹き出しじゃ口
【図１】
0003132693.tif 000003
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
各種チラシ同志のくっつきのさばきを高圧空気によりブロワー処理するため、セットシャフトに設けた１個以上のブロワーホール又はチラシサイズ位置決めトレイに作ったエアーボックスに設けた１個以上のエアーボックスブロワーホールとそのエアーブロワースイッチを具備する新聞チラシ折り機。
【請求項２】
１個以上のブロワーホール又はエアーボックスブロワーホールそしてセットシャフト又はチラシサイズ位置決めトレイに作ったエアーボックスに高圧吹き出しじゃ口を具備した事を特徴とする請求項１記載の新聞チラシ折り機。
【請求項３】
ワイヤー又は固定具で１個以上の高圧吹き出しじゃ口をセットシャフト又はチラシ投入プレートをスライドするチラシ位置決めトレイに作ったエアーボックスに取り付けた事を特徴とする請求項１記載の新聞チラシ折り機。
【手続補正３】
【補正対象書類名】明細書
【補正対象項目名】０００１
【補正方法】変更
【補正の内容】
【０００１】  本考案は、従来の新聞チラシ折り機の各種チラシを新聞チラシ折り機に投入するためのチラシ紙同志のくっつきのさばきを行うチラシブロワーマシンに関する。
【手続補正４】
【補正対象書類名】明細書
【補正対象項目名】０００３
【補正方法】変更
【補正の内容】
【０００３】  しかしながら、単独機能マシンであるため、新聞チラシ折り機用の工数削減検討対象プロセスのマシンであった。
【手続補正５】
【補正対象書類名】明細書
【補正対象項目名】０００７
【補正方法】変更
【補正の内容】
【０００７】  本考案の実施の形態の一例について図面を参照して説明する。  新聞チラシ折り機は、図１に示すように新聞チラシ折り機１と機構部セットシャフト２とそれに設けた１個以上のブロワーホール４そのエアブロワーＳＷ８又は同じチラシ投入プレート３にセットした各種チラシ群６にチラシ投入プレート３、上をスライドするチラシサイズ位置決めエアーボックス５の１個以上のエアーボックスブロワーホールとそのエアーブロワーＳＷによりブロワー処理する。従来のブロワーマシンとしてのみ運用するときは、チラシサイズ位置決めエアーボックスを図のように立て各種チラシ群６にエアーボックスブロワーホールとエアーブロワーＳＷ８によりブロワー処理できる応用が効く。
【手続補正６】
【補正対象書類名】明細書
【補正対象項目名】０００８
【補正方法】変更
【補正の内容】
【０００８】
【図１】本考案の新聞チラシ折り機を示す図である。